(57)【要約】【課題】分離用スリーブの位置確認を不要にし、ニップルの取り付け作業を容易にできると共に、ニップルをアダプタに確実に取り付けることが可能なワンタッチ継手を提供する。【解決手段】分離用スリーブ９は、ニップル２の連結時に、後部側がアダプタ１から出状態となるように延在している。分離用スリーブ９の後端部外周面には周方向に沿ってフランジ部９ａが突設してある。フランジ部９ａとアダプタ１のニップル連結側端面１３との間の分離用スリーブ外周側にストッパ１０が着脱自在に装着される。【選択図】図１
2004124971.tif 000002
【特許請求の範囲】
【請求項１】
弾性的に拡縮可能なＣ型のロック部材を内周側に配置した筒状のアダプタと、該アダプタに挿入した際に前記ロック部材が係合可能な係合部を外周側に設けた筒状のニップルと、前記係合部よりニップル反挿入側の前記ニップルの外周側に該ニップルの軸方向に所定の範囲で摺動自在に配置した筒状の分離用スリーブと、前記ニップル連結時に該ニップルの移動を規制する着脱可能なストッパとを有し、
前記ニップルを前記アダプタ内に挿入して前記係合部に前記ロック部材を係合させ、かつ装着した前記ストッパにより前記ニップルの軸方向の動きを阻止することにより、前記ニップルを前記アダプタに連結し、
前記ストッパを取り外した後前記ニップルを前記アダプタ内に押し入れ、それに伴って前進する前記分離用スリーブにより前記ロック部材を押し拡げて該分離用スリーブの先端部外周面上に押し上げることにより、前記係合部と前記ロック部材との係合を解除して前記ニップルを前記アダプタから分離可能にしたワンタッチ継手において、
前記ニップル連結時に前記分離用スリーブをその後部側が前記アダプタから出状態となるように延在する構成にし、前記分離用スリーブの後端部外周面に周方向に沿ってフランジ部を突設し、該フランジ部と前記アダプタのニップル連結側端面との間の分離用スリーブ外周側に前記ストッパを着脱自在に装着するワンタッチ継手。
【請求項２】
前記分離用スリーブの先端部外周面に前記ロック部材が係合可能な係合溝を形成した請求項１に記載のワンタッチ継手。
【請求項３】
前記分離用スリーブの先端面を外周端側が後方となるようにした傾斜面に形成した請求項１または２に記載のワンタッチ継手。
【請求項４】
前記ロック部材を断面円形状のＣ型バネリングから構成した請求項１，２または３に記載のワンタッチ継手。
【請求項５】
前記ストッパをＣ字状に形成した請求項１，２，３または４に記載のワンタッチ継手。
【請求項６】
前記ストッパを弾性体から構成し、該ストッパを屈曲した形状にして装着時に前記ニップルをニップル反挿入側に常時付勢可能にした請求項５に記載のワンタッチ継手。
【請求項７】
前記ストッパを伸縮可能なゴムリングから構成し、かつ装着時に前記分離用スリーブと前記アダプタとの接触端及び前記分離用スリーブと前記ニップルとの接触端を被覆可能に構成にした請求項１，２，３または４に記載のワンタッチ継手。
【請求項８】
前記係合部を前記ニップルの外周面に周方向に沿って環状に突設した請求項１乃至７のいずれか１項に記載のワンタッチ継手。
【請求項９】
前記アダプタの内周面のニップル連結側に周方向に沿って延在する環状溝を形成し、該環状溝内に前記ロック部材を環状溝から突出するように配置した請求項１乃至８のいずれか１項に記載のワンタッチ継手。
【請求項１０】
前記環状溝を前記ロック部材が前記アダプタの軸方向に移動可能な溝幅を有するように構成し、該環状溝のニップル連結側壁面に傾斜面を形成し、該傾斜面と前記係合部との間で前記ロック部材をロック可能にした請求項９に記載のワンタッチ継手。
【請求項１１】
前記係合部はニップル反挿入側に前記ロック部材をロックするための係合傾斜面を有し、該係合傾斜面と前記環状溝の傾斜面との間で前記ロック部材をロック可能にした請求項１０に記載のワンタッチ継手。
【発明の詳細な説明】
【０００１】
【発明の属する技術分野】
本発明は、流体移送用ホースの接続に使用されるワンタッチ継手に関し、更に詳しくは、ニップルの取り付け作業を容易にすると共に、ニップルをアダプタに確実に取り付けることができるようにしたワンタッチ継手に関する。
【０００２】
【従来の技術】
近年、高圧流体を移送するホースの接続に使用する継手として、ニップルの外周側にニップル軸方向に摺動自在に外装した分離用スリーブと、ニップル連結時にニップルの移動を規制する着脱可能なストッパとを用いるようにしたワンタッチ継手が公知になっている。（例えば、非特許文献１参照）。
【０００３】
この継手は、図９に示すように、弾性的に拡縮可能な環状ロック部材３１を内周側に配置した筒状のアダプタ３２、アダプタ３２に挿入した際にロック部材３１に係合する係合部３３を外周側に設けた筒状のニップル３４を備えている。ニップル３４の外周面には環状の幅広溝３５が形成され、この幅広溝３５の挿入側壁面が係合部３３になっている。幅広溝３５内には筒状の分離用スリーブ３６が摺動自在に配置されている。
【０００４】
ロック部材３１を係合部３３に係合させた状態で、アダプタ３２のニップル連結側端面３７とニップル３４の径大部３８との間にニップル３４の軸方向の動きを阻止するストッパ３９を嵌着することにより、ニップル３４を機器に取り付けたアダプタ３２に連結固定するようになっている。
【０００５】
ニップル３４を取り外すには、ストッパ３９を除去した後ニップル３４をアダプタ３２内に押し込み、それに伴って前進してロック部材３１に押し当たる分離用スリーブ３６によりロック部材３１を押し拡げて分離用スリーブ３６の先端部外周面４０上に押し上げることにより、係合部３３とロック部材３１との係合を解除してニップル３４をアダプタ３２から分離できるようにしている。
【０００６】
【非特許文献１】
ＣＥＪＮ　ＡＢ（セイン社〔スウェーデン〕）ホームページ〔平成１４年８月１０日検索〕、インターネット〔ＵＲＬ：ｈｔｔｐ：／／ｗｗｗ．ｐｌｕｇ−ｉｎ．ｎｕ／ｅｎｇ／ｔｅｋｎｉｋ／ｓｃｅｎ．ｈｔｍｌ〕
【０００７】
【発明が解決しようとする課題】
しかしながら、上述したワンタッチ継手は、ニップル３４をアダプタ３２に挿入する際に、摺動自在な分離用スリーブ３６が幅広溝３５の反挿入側壁面側（図の右側）にある場合には問題なくロック部材３１が係合部３３に係合するが、挿入側壁面（係合部３３）に当接した状態になっている場合には、ロック部材３１が分離用スリーブ３６上に乗り上げ、係合部３３に係合しないことがあり、ニップル３４をアダプタ３２に常に確実に取り付けることができない。
【０００８】
そこで、ニップル３４をアダプタ３２に確実に取り付けるためには、分離用スリーブ３６が幅広溝３５の反挿入側壁面側にあることをニップル３４を挿入する際に常に確認する作業が必要になるが、それがニップル３４の取り付け作業を煩雑にするという問題があった。
【０００９】
本発明の目的は、分離用スリーブの位置確認を不要にし、ニップルの取り付け作業を容易にすることができると共に、ニップルをアダプタに確実に取り付けることが可能なワンタッチ継手を提供することを目的とする。
【００１０】
【課題を解決するための手段】
上記目的を達成する本発明は、弾性的に拡縮可能なＣ型のロック部材を内周側に配置した筒状のアダプタと、該アダプタに挿入した際に前記ロック部材が係合可能な係合部を外周側に設けた筒状のニップルと、前記係合部よりニップル反挿入側の前記ニップルの外周側に該ニップルの軸方向に所定の範囲で摺動自在に配置した筒状の分離用スリーブと、前記ニップル連結時に該ニップルの移動を規制する着脱可能なストッパとを有し、前記ニップルを前記アダプタ内に挿入して前記係合部に前記ロック部材を係合させ、かつ装着した前記ストッパにより前記ニップルの軸方向の動きを阻止することにより、前記ニップルを前記アダプタに連結し、前記ストッパを取り外した後前記ニップルを前記アダプタ内に押し入れ、それに伴って前進する前記分離用スリーブにより前記ロック部材を押し拡げて該分離用スリーブの先端部外周面上に押し上げることにより、前記係合部と前記ロック部材との係合を解除して前記ニップルを前記アダプタから分離可能にしたワンタッチ継手において、前記ニップル連結時に前記分離用スリーブをその後部側が前記アダプタから出状態となるように延在する構成にし、前記分離用スリーブの後端部外周面に周方向に沿ってフランジ部を突設し、該フランジ部と前記アダプタのニップル連結側端面との間の分離用スリーブ外周側に前記ストッパを着脱自在に装着することを特徴とする。
【００１１】
上述した本発明によれば、ストッパを分離用スリーブ外周側に装着した状態でニップルを挿入することができ、ロック部材が係合部に係合する際に分離用スリーブを係合部から離間した状態に維持できるので、ロック部材が分離用スリーブ上に乗り上げることなく係合部に常に係合する。従って、分離用スリーブの位置確認を不要にし、ニップルの取り付け作業を容易にすることができると共に、ニップルをアダプタに確実に取り付けることができる。
【００１２】
【発明の実施の形態】
以下、本発明のワンタッチ継手について、図面を参照しながら詳細に説明する。
【００１３】
図１は、本発明のワンタッチ継手の一例を示し、１はアダプタ、２はニップルである。アダプタ１は金属材料から円筒状に形成され、一端側の外周面にネジ部１１が形成され、このネジ部１１を介して機器Ｍに連結固定されるようになっている。アダプタ１の内周面１２は、一端側の径小内周面１２ａ、それに続く径中内周面１２ｂ、及び他端側（ニップル連結側）の径大内周面１２ｃから構成され、径大内周面１２ｃに周方向に沿って延在する環状溝３が形成されている。
【００１４】
この環状溝３内に弾性的に拡縮可能な断面円形状のＣ型バネリング（ロック部材）４が環状溝３から部分的に突出するように配設されている。環状溝３は、Ｃ型バネリング４がアダプタ１の軸方向に移動可能な溝幅を有し、他端側の溝壁面（ニップル連結側壁面）３ａにＣ型バネリング４をロックするための傾斜面３ｂが形成されている。
【００１５】
ニップル２は、金属材料から円筒状に形成され、一端側がアダプタ１に挿入され、他端側にソケット５を介してホースＨを加締め固定するようになっている。ニップル２は、一端側（ニップル挿入側）の外径を小さくした径小部２１と、これに続く外径を大きくした径大部２２とを有し、径小部２１がアダプタ１の径中内周面１２ｂに摺動自在に嵌合し、径大部２２が径大内周面１２ｃに摺動自在に嵌合する。
【００１６】
径小部２１の外周面２１ａには周方向に沿って延在する環状溝６が形成され、この環状溝６内に径中内周面１２ｂと当接可能なシール用のＯリング７とバックアップリング８が配置してある。
【００１７】
径大部２２の外周面２２ａには、周方向に沿って延在する環状の幅広溝部２３が形成されている。この幅広溝部２３はニップル２をアダプタ１に連結した際に、アダプタ１の外側まで延在する溝幅を有しており、幅広溝部２３の一端側にＣ型バネリング４に係合可能な係合部２４が周方向に沿って環状に突出するように設けれられている。
【００１８】
係合部２４は、他端側（ニップル反挿入側）にＣ型バネリング４をロックするための係合傾斜面２４ａを有している。この係合傾斜面２４ａは外周端側が内周側よりニップル２の一端側となるような傾斜面に形成され、図１に示すように、この係合傾斜面２４ａと環状溝３の傾斜面３ｂとの間でＣ型バネリング４をロック可能にしてある。係合部２４の一端側も傾斜面２４ｂに形成してあり、Ｃ型バネリング４を拡開して係合部２４の頂部を乗り越え易くしている。
【００１９】
係合部２４より他端側に位置する幅広溝部２３に、ポリアセタール、ナイロン、ポリテトラフルオロエチレン等の樹脂製または金属製の円筒状の分離用スリーブ９（図２参照）がニップル２の軸方向に溝幅（所定の範囲）内で摺動自在に配置されている。分離用スリーブ９の外周面９Ｘと係合部２４の外周端面２４ｃとは、略面一となるようにしている。
【００２０】
分離用スリーブ９は、ニップル２の連結時にその後部側がアダプタ１から出状態となるように延在する構成になっており、その後端部外周面には周方向に沿って環状のフランジ部９ａが突設されている。分離用スリーブ９の先端面９ｂは、外周端側が内周端側より後方となるようにした傾斜面に形成されている。
【００２１】
分離用スリーブ９には先端から後端まで延在するスリット９ｃが形成され、このスリット９ｃにより分離用スリーブ９を径方向外側に拡開可能にすることで、分離用スリーブ９をニップル２の一端側から係合部２４を乗り越えて幅広溝部２３に取り付け易くしてある。分離用スリーブ９の先端部外周面には、Ｃ型バネリング４が係合可能な環状の係合溝９ｄが形成されている。
【００２２】
ニップル２の連結時に、フランジ部９ａとアダプタ１のニップル連結側端面１３との間の分離用スリーブ外周側に、図３（ｂ）に示すようにＣ字状に形成したストッパ１０が着脱自在に装着される。このストッパ１０は、弾性を有する樹脂や硬質ゴムなどからなる弾性体から構成され、図３（ａ）に示すように屈曲した形状に形成され、装着時にニップル２を他端側に常時付勢することにより、連結したニップル２の軸方向の移動を規制し、かつ係合傾斜面２４ａと環状溝３の傾斜面３ｂとの間でＣ型バネリング４を挟持してロックできるようにしている。
【００２３】
上記ワンタッチ継手は、以下のようにして連結する。先ず、図４に示すようにストッパ１０を分離用スリーブ９の外周側に取り付け、この状態でニップル２をアダプタ１内に挿入し、奥まで押し込む。これにより、挿入されたニップル２の係合部２４の傾斜面２４ｂによりＣ型バネリング４が押し拡げられ、係合部２４の頂部を乗り越えて係合傾斜面２４ａに係合する。
【００２４】
ストッパ１０により分離用スリーブ９を係合部２４から離間した状態となるため、Ｃ型バネリング４が分離用スリーブ９上に乗り上げることなく係合部２４に常に係合する。
【００２５】
ストッパ１０の弾性力により、分離用スリーブ９を介してニップル２が他端側に付勢されるため、ニップル２の軸方向の動きが阻止され、かつＣ型バネリング４が環状溝３の傾斜面３ｂと係合部２４の係合傾斜面２４ａとの間にロックされた状態となり、ニップル２がアダプタ１に連結固定される（図１の状態）。
【００２６】
ワンタッチ継手を分離するには、ストッパ１０を取り外した後、ニップル２をアダプタ１内に押し入れる。それにより、Ｃ型バネリング４が環状溝３の溝壁面（他端側の溝壁面３ａと対面する溝壁面）３ｘに当接し、そのＣ型バネリング４に前進して押し当たる分離用スリーブ９により、Ｃ型バネリング４を押し拡げて分離用スリーブ９の先端部外周面上に押し上げ、係合溝９ｄに係合させる（図５の状態）。これにより、係合部２４とＣ型バネリング４との係合が解除する。
【００２７】
この状態でニップル２を引き抜くと、それに伴って移動する係合部２４が分離用スリーブ９の先端に押し当たり（図６の状態）、Ｃ型バネリング４を環状溝３内に残した状態でニップル２が引き抜かれ、アダプタ１から分離する。
【００２８】
上述した本発明では、ストッパ１０をスリーブ外周側に装着した状態でニップル２を挿入することができるので、Ｃ型バネリング４が係合部２４に係合する際に分離用スリーブ９を係合部２４から離間した状態に維持できる。その結果、Ｃ型バネリング４が分離用スリーブ９上に乗り上げることなく係合部２４に常に係合できる。そのため、従来のような分離用スリーブ９の位置確認が不要になり、ニップル２の取り付け作業が容易となり、かつニップル２をアダプタ１に確実に連結することができる。
【００２９】
また、上述したワンタッチ継手では、ストッパ１０を外した状態でニップル２をアダプタ１に挿入し、最後にストッパ１０を装着しても、ニップル２をアダプタ１に確実に連結できるようにしている。
【００３０】
即ち、ストッパ１０を外した状態で、ニップル２をアダプタ１内に挿入し、奥まで押し込む。これにより、挿入されたニップル２の係合部２４の傾斜面２４ｂによりＣ型バネリング４が押し拡げられ、係合部２４を乗り越えて幅広溝部２３に係合する。
【００３１】
この際に、分離用スリーブ９が係合部２４に当接した状態であっても、分離用スリーブ９の先端面９ｂが上述した傾斜面になっているので、Ｃ型バネリング４が分離用スリーブ９の先端面９ｂの上端に当たり、分離用スリーブ９を他端側に移動させるので、幅広溝部２３に係合し、分離用スリーブ９上に乗り上げることがない。
【００３２】
次いで、ニップル２を他端側に引き戻す。これにより、Ｃ型バネリング４が環状溝３の傾斜面３ｂと係合部２４の係合傾斜面２４ａとに挟まれて係合した状態となる。続いて、ストッパ１０を分離用スリーブ９のフランジ部９ａとアダプタ１のニップル連結側端面１３との間の分離用スリーブ外周側に嵌める。
【００３３】
この際に、作業者が誤って分離用スリーブ９を一端側に押し付けた状態でニップル２を挿入し、分離用スリーブ９上にＣ型バネリング４が乗り上げて係合部２４に係合していない状態が発生した場合には、フランジ部９ａとニップル連結側端面１３との間隔が狭くなり、ストッパ１０が嵌まらない、あるいは嵌まり難い状態となるので、Ｃ型バネリング４が係合部２４に係合していないことが容易にわかる。
【００３４】
ストッパ１０の装着によりストッパ１０が分離用スリーブ９を介してニップル２を他端側に弾性付勢し、ニップル２の軸方向の動きを阻止すると共に、Ｃ型バネリング４を環状溝３の傾斜面３ｂと係合部２４の係合傾斜面２４ａとの間にロックした状態にし、ニップル２がアダプタ１に連結固定される（図１の状態）。
【００３５】
ワンタッチ継手の分離は上記と同様に行うが、Ｃ型バネリング４が断面円形状のため、当接する係合部２４と分離用スリーブ９の先端面９ｂとによって形成される窪み部Ｘ（図６参照）にＣ型バネリング４が引っ掛かって係止することなく、ニップル２を円滑に抜き取ることができるのである。
【００３６】
図７は、本発明のワンタッチ継手の他の例を示し、この実施形態では、上述したストッパ１０に防塵機能を持たせるようにしたものである。図７のストッパ１０’は、図８に示すように、二股状の脚部１０’Ａ，１０’Ｂを有する伸縮可能なゴムリングから構成され、一方の脚部１０’Ａが分離用スリーブ９のフランジ部９ａとアダプタ１のニップル連結側端面１３との間の間隔より若干厚くなっており、そのフランジ部９ａとニップル連結側端面１３との間に押し込んで弾性変形させ、圧着することにより、上述したストッパ１０と同様のストッパ機能と、ニップル連結側端面１３と分離用スリーブ９との接触端に対するダストシール効果を発揮させるようにしている。
【００３７】
また、ストッパ１０’を装着した際に、他方の脚部１０’Ｂが分離用スリーブ９のフランジ部９ａに隣接するニップル２の外周面に当接し、分離用スリーブ９とニップル２との接触端に対するダストシール効果を発揮するようになっている。
【００３８】
このようにストッパ１０’を、分離用スリーブ９とアダプタ１の接触端及び分離用スリーブ９とニップル２の接触端を被覆する構成にすることで、１つの部材でストッパ機能と防塵機能を同時に行うことができる。
【００３９】
ニップル２をアダプタ１から分離する際には、伸縮するストッパ１０’を弾性変形させてニップル５側に移動させることで、一方の脚部１０’Ａを分離用スリーブ９のフランジ部９ａとアダプタ１のニップル連結側端面１３との間から離脱するようにする。
【００４０】
【発明の効果】
上述したように本発明のワンタッチ継手は、分離用スリーブの後端部に設けたフランジ部とアダプタのニップル連結側端面との間のスリーブ外周側にストッパを着脱自在に装着できるようにしたので、ニップル挿入時に分離用スリーブの位置を確認する必要がなくなり、ニップルの取り付け作業を容易にすることができ、かつアダプタに対するニップルの確実の取り付けが可能になる。
【図面の簡単な説明】
【図１】本発明のワンタッチ継手の一例を連結した状態で一部を切欠いた断面にして示す正面図である。
【図２】図１の分離用スリーブの斜視図である。
【図３】図１のストッパを示し、（ａ）は正面図、（ｂ）は側面図である。
【図４】図１のワンタッチ継手の連結工程の要部を一部を切欠いた断面で示す正面図である。
【図５】図１のワンタッチ継手の分離工程の要部を一部を切欠いた断面で示す正面図である。
【図６】図５に続く分離状態を一部を切欠いた断面で示す正面図である。
【図７】本発明のワンタッチ継手の他の例を連結した状態で一部を切欠いた断面にして示す正面図である。
【図８】図７のストッパを示し、（ａ）は（ｂ）のａ−ａ矢視断面図、（ｂ）は（ａ）のｂ−ｂ矢視図である。
【図９】従来のワンタッチ継手を示す要部半断面図である。
【符号の説明】
１　アダプタ　　　　　　　　　　２　ニップル
３　環状溝　　　　　　　　　　　３ａ　溝壁面（ニップル連結側壁面）
３ｂ　傾斜面　　　　　　　　　　４　Ｃ型バネリング（ロック部材）
９　分離用スリーブ　　　　　　　　９ａ　フランジ部
９ｂ　先端面　　　　　　　　　　９ｄ　係合溝
１０，１０’ストッパ　　　　　　１２　内周面
１３　ニップル連結側端面　　　　２３　幅広溝部
２４　係合部　　　　　　　　　　２４ａ　係合傾斜面
Ｈ　ホース
【図１】
2004124971.tif 000003
【図２】
2004124971.tif 000004
【図３】
2004124971.tif 000005
【図４】
2004124971.tif 000006
【図５】
2004124971.tif 000007
【図６】
2004124971.tif 000008
【図７】
2004124971.tif 000009
【図８】
2004124971.tif 000010
【図９】
2004124971.tif 000011